(57)【要約】【課題】筐体の大型化を招くことがなく、モータの配置に伴う作業性の悪化をもたらさず、その上、モータの振動伝達効率が良い携帯端末装置を提供する。【解決手段】一端に分銅を有する回転軸部材を回動させるモータ及び当該モータを保持する保持部材を有するモータユニットと、モータユニットを保持する保持部を有する筐体とを有して、モータユニットが筐体内に配置される携帯端末装置において、ヒンジケース２５は、モータユニット２９をモータ３０の回転軸３０ａが筐体のリアヒンジケース２５ｂの平面部に対して垂直となり、且つモータ３０の一端側を平面部に対向した状態で保持し、ブラケット３１は、モータ３０の一端側に形成されて、リアヒンジケース２５ｂの平面部に当接する先端リブ３５を有する。【選択図】図６
2008182857.tif 000002
【特許請求の範囲】
【請求項１】
一端に分銅を有する回転軸部材を回動させるモータ及び当該モータを保持する保持部材を有するモータユニットと、前記モータユニットを保持する保持部を有する筐体とを有して、前記モータユニットが前記筐体内に配置される携帯端末装置において、
前記保持部は、前記モータユニットを前記モータの回転軸が前記筐体のケース部材の平面部に対して垂直となり、且つ前記モータの一端側を前記平面部に対向した状態で保持し、
前記保持部材は、前記モータの一端側に形成されて、前記ケース部材の前記平面部に当接する当接部を有する
ことを特徴とする携帯端末装置。
【請求項２】
前記当接部は、前記回転軸に対して対称となる位置に複数形成されていることを特徴とする請求項１に記載の携帯端末装置。
【請求項３】
前記保持部は、前記当接部と嵌合して、前記当接部の前記回転軸と垂直な方向への移動を規制する嵌合部を有することを特徴とする請求項１または２に記載の携帯端末装置。
【請求項４】
前記筐体は、第１筐体、第２筐体及び両筐体を連結する連結部を有し、前記モータユニットは、前記連結部の内部に収容されることを特徴とする請求項１から３のいずれか一項に記載の携帯端末装置。
【請求項５】
前記保持部材は、他の電機部品のモジュールを保持するホルダーと一体的に構成されると共に、当該他のモジュールに接続されるＦＰＣが配設されて構成され、
前記モータは、前記ＦＰＣに接続されることを特徴とする請求項１から４のいずれか一項に記載の携帯端末装置。
【請求項６】
前記モータは、前記筐体の厚さ方向に対して垂直な方向から前記保持部材に装着されることを特徴とする請求項１から５のいずれか一項に記載の携帯端末装置。
【発明の詳細な説明】
【技術分野】
【０００１】
この発明は、筐体を振動させるため、筐体内に、モータ軸に分銅を装着したモータを備えた携帯端末装置に関する。
【背景技術】
【０００２】
従来、筐体内に、モータ軸に分銅を装着したモータを備え、筐体を振動させるバイブレーション機能を有する携帯端末装置が知られている。着信時、モータが駆動され、モータ軸と共に分銅が回動することにより、筐体が振動する。これによって、呼び出し音を鳴らさずに着信を知らせている。
このような従来の携帯端末装置として、例えば、「実装構造および携帯端末」（特許文献１参照）や「折り畳み式携帯機器」（特許文献２参照）がある。「実装構造および携帯端末」は、筐体内にバイブレータユニットを配置する構造において、モータを、横置き状態、即ち、筐体の厚さ方向に対し垂直方向に配置した構成を有しており、「折り畳み式携帯機器」は、折り畳み式携帯電話機のヒンジ部にモータを配置した構成を有している。
【特許文献１】特開２００５−１９７２９０号公報
【特許文献２】特開２００４−１９３６６５号公報
【発明の開示】
【発明が解決しようとする課題】
【０００３】
しかしながら、従来の携帯端末装置において、モータを横置きに配置した場合、筐体内に配置する他の部品、例えば回路基板や配線等の配置レイアウトの自由度が減少することになる。この結果、筐体内における各部品の効率的な配置が困難になって配置面積が増大し、筐体の大型化を招く虞がある。
また、モータをヒンジ部に配置した構成においても、限られた空間であるヒンジ部内部空間の大部分がモータに占められてしまい、配線等のための十分なスペースが取れなくなって、ヒンジ部内部空間における作業性の悪化をもたらしてしまう。
【０００４】
更に、モータを横置きに配置した場合、モータ軸の回動により分銅が回動するが、この分銅の回動に伴って発生する振動の伝達方向は、分銅の回動方向の内の１／４方向に過ぎないので、振動の伝達効率が悪かった。
この発明の目的は、筐体の大型化を招くことがなく、モータの配置に伴う作業性の悪化をもたらさず、その上、モータの振動伝達効率が良い携帯端末装置を提供することである。
【課題を解決するための手段】
【０００５】
上記目的を達成するため、この発明に係る携帯端末装置は、一端に分銅を有する回転軸部材を回動させるモータ及び当該モータを保持する保持部材を有するモータユニットと、前記モータユニットを保持する保持部を有する筐体とを有して、前記モータユニットが前記筐体内に配置される携帯端末装置において、前記保持部は、前記モータユニットを前記モータの回転軸が前記筐体のケース部材の平面部に対して垂直となり、且つ前記モータの一端側を前記平面部に対向した状態で保持し、前記保持部材は、前記モータの一端側に形成されて、前記ケース部材の前記平面部に当接する当接部を有することを特徴としている。
また、この発明は、前記当接部は、前記回転軸に対して対称となる位置に複数形成されていることが好ましい。
【０００６】
また、この発明は、前記保持部は、前記当接部と嵌合して、前記当接部の前記回転軸と垂直な方向への移動を規制する嵌合部を有することが好ましい。
また、この発明は、前記筐体は、第１筐体、第２筐体及び両筐体を連結する連結部を有し、前記モータユニットは、前記連結部の内部に収容されることが好ましい。
また、この発明は、前記保持部材は、他の電機部品のモジュールを保持するホルダーと一体的に構成されると共に、当該他のモジュールに接続されるＦＰＣが配設されて構成され、前記モータは、前記ＦＰＣに接続されることが好ましい。
また、この発明は、前記モータは、前記筐体の厚さ方向に対して垂直な方向から前記保持部材に装着されることが好ましい。
【発明の効果】
【０００７】
この発明によれば、省スペースでモータユニットを配置することができると共に、モータ振動を効率良く筐体のケース部材に伝達することができ、その上、モータユニットの配置に伴って作業性が悪化することもない。
【発明を実施するための最良の形態】
【０００８】
以下、この発明を実施するための最良の形態について図面を参照して説明する。
図１は、この発明の一実施の形態に係る携帯端末装置の一例としての携帯電話機の開状態を示し、（ａ）はメイン表示器側の斜視図、（ｂ）はサブ表示器側の斜視図である。図１に示すように、携帯端末装置の一例としての携帯電話機１０は、例えば、表示器側筐体（第１筐体）１１とキー側筐体（第２筐体）１２が、表示器側筐体１１の一端部に設けられたヒンジ部（連結部）１３（（ａ）参照）を介して相互回動自在に連結された折り畳み構造を有しており、表示器側筐体１１とキー側筐体１２が互いに離反した開状態にすることができる。
【０００９】
ヒンジ部１３は、表示器側筐体１１の一端部側に突設されており、キー側筐体１２の一端部に回動自在に軸支されている。このヒンジ部１３で連結された表示器側筐体１１とキー側筐体１２は、両筐体が略直線上に連続する開状態或いは両筐体が上下に重なった閉状態（図示しない）に、自在に開閉することができる。
表示器側筐体１１の表示面側には、メイン液晶表示器（Ｌｉｑｕｉｄ  Ｃｒｙｓｔａｌ  Ｄｉｓｐｌａｙ：ＬＣＤ）１４（（ａ）参照）が、その裏面側には、サブＬＣＤ１５（（ｂ）参照）が、それぞれ装着されている。キー側筐体１２の外面上、即ち、操作面側には、押下可能な複数の操作キーを配置した操作部１６（（ａ）参照）が、その裏面側には、バッテリ格納部（図示しない）を塞ぐ蓋体１７（（ｂ）参照）が、それぞれ装着されている。
【００１０】
図２は、図１の携帯電話機１０における表示器側筐体１１とキー側筐体１２との分解構成図である。図２に示すように、表示器側筐体１１は、フロントケース１８とリアケース１９を重ね合わせた状態で結合して構成され、フロントケース１８とリアケース１９の間には、サブＬＣＤ１５、ＬＣＤ側基板、ＬＣＤフレーム、及びメインＬＣＤを積み重ねた状態で一体に形成されたＬＣＤユニット２０が、収納されている。キー側筐体１２は、フロントケース２１とリアケース２２を重ね合わせた状態で結合して構成され、フロントケース２１とリアケース２２の間には、操作キー部２３及びキー基板部２４が積み重ねた状態で収納されている。
【００１１】
ヒンジ部材１３は、フロントヒンジケース２５ａとリアヒンジケース２５ｂから構成されるヒンジケース（保持部）２５の内部に、第１回転部材２６、第２回転部材２７及びダミーヒンジ２８と共にモータユニット２９等を収容し、両ケース２５ａ，２５ｂを重ね合わせた状態で結合して構成されている。つまり、モータユニット２９は、ヒンジケース２５に保持されている。
第１回転部材２６は、一端が表示器側筐体１１に結合されて、表示器側筐体１１をキー側筐体１２に対して表裏回転可能にヒンジ部１３と連結し、第２回転部材２７は、軸方向一端側がキー側筐体１２の筐体長手方向一端側（図２における左側）に形成されて筐体幅方向に向かって開口された図示しない軸受け部に挿嵌されて軸方向他端側がヒンジ部１３の該軸受け部に対向して形成されたヒンジ軸受け部に挿嵌されて、表示器側筐体１１とキー側筐体１２とを開閉方向に回転可能に連結している。ダミーヒンジ２８は、第２回転部材２７と対で設けられており、表示器側筐体１１とキー側筐体１２のそれぞれに内蔵された回路基板を電気的に接続するためのケーブル部材（図示しない）を通す孔を有している。
【００１２】
図３は、図２のモータユニットを示し、（ａ）はモータ格納前の斜視図、（ｂ）はモータ格納後の斜視図、（ｃ）はモータプレート装着後の部分斜視図である。図３に示すように、モータユニット２９は、モータ（バイブモータ）３０、及びモータ３０を保持するブラケット（保持部材）３１を有しており、モータ３０は、ブラケット３１に固定保持されている。モータ３０の回転軸（回転軸部材）３０ａの先端（一端）には、分銅３２が取り付けられており（（ａ）参照）、モータ駆動時、回転軸３０ａの軸回動に伴って分銅３２が回動する。
【００１３】
ブラケット３１は、長手方向略中央に設けた格納凹部３１ａにモータ３０を収納して配置され、その両側の両端部に形成されたスピーカ収納部に他の電機部品としてのスピーカ部材３３を収納して配置した横長板体形状を有しており、スピーカ部材３３の他、カメラ部材等の各種電機部品からなる他のモジュールを保持するホルダと一体的に構成されている。格納凹部３１ａに配置されたモータ３０は、横置き状態に、即ち、ブラケット長手方向と略直交する方向に沿って回転軸３０ａが位置するように、埋設状態に固定保持される（（ｂ）参照）。なお、モータ３０は、外周が図示しないゴムカバーで覆われており、このゴムカバーを介して格納凹部３１ａに格納されることにより、ブラケットに確実に保持されるとともに、回転により発生された振動を確実にブラケットに伝達する。
格納凹部３１ａには、モータ３０を格納した後、モータ３０を覆うように、上面に、矩形薄板状のモータプレート３４が装着される（（ｃ）参照）。モータプレート３４は、外周縁の複数箇所（一例として４箇所）に形成した被嵌合部３４ａを有しており、これらの被嵌合部３４ａを、被嵌合部３４ａに対応して形成されたブラケット３１の爪状嵌合部３１ｂと嵌合させることにより、ブラケット３１に装着固定される。
【００１４】
ブラケット３１には、格納凹部３１ａにモータ３０を格納した状態で、回転軸３０ａの両側、即ち、回転軸３０ａに対称関係に位置し、且つ、回転軸３０ａ方向に延びる、複数（一例として、２本）の先端リブ（当接部）３５が突設されている。そして、モータ３０は、分銅３２が配設された回転軸３０ａの先端が先端リブ３５が配設される側に位置するように格納凹部３１ａに格納されている。即ち、先端リブ３５は、モータ３０の回転軸３０ａの分銅３２が配置される先端側に対応してブラケット３１に突設されている。また、ブラケット３１の、先端リブ３５が突設された一方の面の反対側の面である他方の面には、カメラ部材等の各種電機部品からなる他のモジュールに接続されるフレキシブルプリント配線板（Ｆｌｅｘｉｂｌｅ  Ｐｒｉｎｔｅｄ  Ｃｉｒｃｕｉｔ：ＦＰＣ）３６が配設されている。このＦＰＣ３６に、モータ３０も接続される。
【００１５】
図４は、図３のブラケットを示し、（ａ）はＦＰＣ装着状態の下面斜視図、（ｂ）はＦＰＣ接続状態の上面斜視図である。図４に示すように、ブラケット３１は、モータ３０を格納凹部３１ａに格納してモータプレート３４を装着固定した後、ブラケット３１の他方の面上にＦＰＣ３６を配置する（（ａ）参照）。その後、モータプレート３４側にＦＰＣ３６の一部を折り曲げて（（ａ）矢印参照）、ＦＰＣ３６の該一部における両端部をブラケット３１に突設された両嵌合部３１ｃ，３１ｃに嵌合させ、ＦＰＣ３６の一部をモータプレート３４上に対向させて位置させる。これにより、ブラケット組立体３８が完成する（（ｂ）参照）。なお、モータプレート３４に対向して配置されるＦＰＣ３６の一部の上面には、コネクタ部材３７が実装されている。
図５は、図４のブラケット組立体をヒンジケースに収容する手順（ａ）〜（ｃ）を説明する斜視図である。図５に示すように、先ず、ダミーヒンジ２８に挿通されて、一端がキー側筐体１２に内蔵された回路基板に接続されて、キー側筐体１２とヒンジ部１３とに亘って配設されるケーブル部材の他端に配設されたケーブルコネクタ３９をコネクタ部材３７に接続する（（ａ）参照）。
【００１６】
その後、ブラケット組立体３８を、先端リブ３５が下向きでＦＰＣ３６が上面に位置する状態、即ち、モータ３０の分銅３２が下向き状態で、フロントヒンジケース２５ａの上方からフロントヒンジケース２５ａの内部に組み込み収容する（（ｂ）参照）。このとき、ブラケット組立体３８は、ＦＰＣ３６を上面に露出させた状態になる（（ｃ）参照）。つまり、モータ３０は、筐体の厚さ方向に対して垂直な方向からヒンジケース２５に装着される。
続いて、フロントヒンジケース２５ａに収容したブラケット組立体３８を覆って、リアヒンジケース２５ｂを被せ（（ｃ）参照）、リアヒンジケース２５ｂとフロントヒンジケース２５ａを重ね合わせて結合固定する。これにより、ヒンジケース２５の内部に、ブラケット組立体３８が収容される。
なお、図５（ｃ）に示されるように、ＦＰＣ３６の上面にキースイッチ３６ａが筐体幅方向に並設されており、これらキースイッチ３６ａは、リアヒンジケース２５ｂがフロントヒンジケース２５ａに結合固定された状態においてリアヒンジケース２５ｂの外面に対応して配置されたキー操作部の押下操作によって作動される。
【００１７】
図６は、ヒンジ部１３のヒンジケース２５を示し、（ａ）は平面図、（ｂ）は（ａ）のＢ−Ｂ線の断面図である。図６に示すように、ブラケット組立体３８がヒンジケース２５の内部に収容されることにより、モータ３０は、回転軸３０ａを、筐体厚み方向に沿って位置させた縦置き状態になり（（ｂ）参照）、ブラケット３１の各先端リブ３５が、フロントヒンジケース２５ａの内面に形成された凹部状の各受けリブ（嵌合部）４０に嵌合することになる。先端リブ３５が受けリブ４０に嵌合することにより、モータ３０の駆動により回転軸３０ａと共に分銅３２が回動して発生した振動が、モータ３０から図示しないゴムカバー、ブラケット３１の格納凹部３１ａ、及びブラケット３１の先端リブ３５を介して受けリブ４０に伝達される。
【００１８】
このように、モータユニット２９は、モータ３０の回転軸３０ａが、携帯電話機１０の筐体を構成するケース部材であるフロントヒンジケース２５ａの平面部（図６（ｂ）における底面部）に対して実質的に垂直（即ち、略直交配置）となり、且つ、モータ３０の一端（先端）側がフロントヒンジケース２５ａの平面部に対向した状態で、ヒンジケース２５に保持されている。また、ブラケット３１は、分銅３２が配置されるモータ３０の一端（先端）側に形成されて、フロントヒンジケース２５ａの平面部に当接する、例えば樹脂製の先端リブ３５を有する。受けリブ４０は、先端リブ３５と嵌合して、先端リブ３５の回転軸３０ａと垂直な方向（図６（ｂ）における左右方向）への移動を規制することで、先端リブ３５から伝達される振動をヒンジケース２５に伝達する。そして、ヒンジケース２５に伝達された振動は、回転部材２６，２７を介して各筐体１１，１２に伝達される。
【００１９】
図７は、この発明に係る携帯電話機によるバイブレーション機能を説明する概念図である。図７に示すように、モータ３０は、分銅３２が取り付けられた回転軸３０ａを、筐体厚み方向に沿って位置させた縦置き状態になり、ブラケット３１の分銅３２側から突出する先端リブ３５が、フロントヒンジケース２５ａに当接する。
これによりモータ３０は、分銅３２の先端に向かって振動量が大きくなる、即ち、より大きく首を振ろうとする（図中、矢印参照）ため、モータ３０の最も振動する分銅３２が配置されるモータ３０の一端側（図７における下側）をフロントヒンジケース２５ａの平面部に対向した状態でブラケット組立体３８をヒンジケース２５内で保持させ、モータ３０の一端側に形成されたブラケット３１の先端リブ３５をフロントヒンジケース２５ａの平面部に当接させる構成として、モータ３０からの振動がブラケット３１（先端リブ３５）を介して伝わることになり、モータ回転時に発生する振動をフロントヒンジケース２５ａに効率良く伝えることができる。
【００２０】
また、モータ３０が収容されているブラケット組立体３８の先端リブ３５により、モータ３０の分銅３２と、ヒンジケース２５内に配設されたケーブル４１との干渉を防止することもできるため、狭く限られたヒンジケース２５の内部スペースを有効に利用することができる。よって、液晶側とキー操作側を接続するケーブルの配線スペースが広く取れるようになり、作業性が向上する。
上述したように、モータ３０を配置する場所を、デッドスペースである液晶側とキー操作側を連結する部分（ヒンジ部１３）にし、且つ、モータ３０を縦置きにして、ＦＰＣ３６により電気的接続をすることにより、コネクタやケーブルを使用することなく、また、設置場所にとらわれることなく、容易に接続することができ、携帯電話機の小型化薄型化を図ることができる。
なお、本発明は、上述した実施の形態により説明したが、この実施の形態に限定されるものではない。従って、本発明の趣旨を逸脱することなく変更態様として実施するものも含むものである。例えば、上述した実施形態では、先端リブ３５を筐体幅方向に回転軸に対して対称に２ヶ所配設した構成としたが、どちらか一方だけでも良く、筐体長手方向に同様に対称に配置しても良く、筐体長手方向及び幅方向の４方向に配置しても良い。また、上述した実施形態では、モータ３０を保持しているブラケット組立体３８をヒンジ部１３の内側に配設する構成としたが、これに限らず、表示器側筐体１１やキー側筐体１２の内部に配設するようにしても良い。この場合も同様に、分銅が配置されるモータの一端側がケース部材の平面部に対向し、モータの回転軸がケース部材の平面部に対して垂直となるようにモータユニットが筐体内に配置されればよい。
【図面の簡単な説明】
【００２１】
【図１】この発明の一実施の形態に係る携帯電話機の開状態を示し、（ａ）はメイン表示器側の斜視図、（ｂ）はサブ表示器側の斜視図である。
【図２】図１の携帯電話機の分解構成図である。
【図３】図２のモータユニットを示し、（ａ）はモータ格納前の斜視図、（ｂ）はモータ格納後の斜視図、（ｃ）はモータプレート装着後の部分斜視図である。
【図４】図３のブラケットを示し、（ａ）はスイッチ装着状態の斜視図、（ｂ）はＦＰＣ接続状態の斜視図である。
【図５】図４のブラケット組立体をヒンジケースに収容する手順（ａ）〜（ｃ）を説明する斜視図である。
【図６】ヒンジ部のヒンジケースを示し、（ａ）は平面図、（ｂ）は（ａ）のＢ−Ｂ線の断面図である。
【図７】この発明に係る携帯電話機によるバイブレーション機能を説明する概念図である。
【符号の説明】
【００２２】
１０  携帯電話機
１１  表示器側筐体
１２  キー側筐体
１３  ヒンジ部
１４  メインＬＣＤ
１５  サブＬＣＤ
１６  操作部
１７  蓋体
１８  フロントケース
１９  リアケース
２０  ＬＣＤユニット
２１  フロントケース
２２  リアケース
２３  操作キー部
２４  キー基板部
２５  ヒンジケース
２５ａ  フロントヒンジケース
２５ｂ  リアヒンジケース
２６  第１回転部材
２７  第２回転部材
２８  ダミーヒンジ
２９  モータユニット
３０  モータ
３０ａ  回転軸
３１  ブラケット
３１ａ  格納凹部
３１ｂ  爪状嵌合部
３１ｃ  嵌合部
３２  分銅
３３  スピーカ部材
３４  モータプレート
３４ａ  被嵌合部
３５  先端リブ
３６  ＦＰＣ
３６ａ  スイッチ
３７  コネクタ部材
３８  ブラケット組立体
３９  ケーブルコネクタ
４０  受けリブ
４１  ケーブル
【図１】
2008182857.tif 000003
【図２】
2008182857.tif 000004
【図３】
2008182857.tif 000005
【図４】
2008182857.tif 000006
【図５】
2008182857.tif 000007
【図６】
2008182857.tif 000008
【図７】
2008182857.tif 000009